(57)【要約】【課題】カメラ付き携帯電話機を自由な角度で保持し、かつ、遠隔地から操作できるようにする。【解決手段】  三脚アダプタ２は、本体３０、および、本体３０に回動自在に連結された回動部３１により構成されている。回動部３１には、カメラ付け携帯電話機１の接続端子２０と接続するための接続端子３２が形成されている。回動部３１は、ユーザにより任意の角度に回動され、その状態で、カメラ付き携帯電話機１を保持することができる。本体３０の側面には、リモートコントローラから発光された赤外線信号を受光するための受光部３３が設けられており、受光した赤外線信号に対応する各種指令（スチル画撮影信号など）が、接続端子３２を介してカメラ付き携帯電話機１に供給される。本発明は、携帯電話機用載置台に適用することができる。【選択図】図６
2006074585.tif 000002
【特許請求の範囲】
【請求項１】
携帯電話機と接続される接続端子と、
前記携帯電話機と通信処理する通信部と、
リモートコントローラから送信されてきた信号を受信する受信部と
を備え、
前記接続端子は、前記携帯電話機を回動自在に保持し、
前記通信部は、前記受信部で受信された前記信号に基づく指令を前記携帯電話機に送信する
ことを特徴とする携帯電話機用載置台。
【請求項２】
情報記録媒体を装着する装着部をさらに備え、
前記通信部は、前記携帯電話機から送信されてきたデータを、前記装着部に装着されている前記情報記録媒体に記録する
ことを特徴とする請求項１に記載の携帯電話機用載置台。
【請求項３】
メモ、写真、あるいは、絵を保持する保持部をさらに備える
ことを特徴とする請求項１に記載の携帯電話機用載置台。
【請求項４】
前記接続端子は、前記携帯電話機と接続されていない場合において、前記リモートコントローラに接続可能とされる
ことを特徴とする請求項１に記載の携帯電話機用載置台。
【請求項５】
携帯電話機と接続される接続端子と、
前記携帯電話機と通信処理する通信部と、
情報記録媒体を装着する装着部と
を備え、
前記接続端子は、前記携帯電話機を回動自在に保持し、
前記通信部は、前記携帯電話機から送信されてきたデータを、前記装着部に装着されている前記情報記録媒体に記録する
ことを特徴とする携帯電話機用載置台。
【請求項６】
リモートコントローラから送信されてきた信号を受信する受信部をさらに備え、
前記通信部は、前記受信部で受信された前記信号に基づく指令を前記携帯電話機に送信する
ことを特徴とする請求項５に記載の携帯電話機用載置台。
【請求項７】
前記接続端子は、前記携帯電話機と接続されていない場合において、前記リモートコントローラに接続可能とされる
ことを特徴とする請求項６に記載の携帯電話機用載置台。
【請求項８】
メモ、写真、あるいは、絵を保持する保持部をさらに備える
ことを特徴とする請求項５に記載の携帯電話機用載置台。
【発明の詳細な説明】
【技術分野】
【０００１】
本発明は、携帯電話機用載置台に関し、特に、カメラ付き携帯電話機を自由な角度で保持し、かつ、遠隔地から操作できるようにした携帯電話機用載置台に関する。
【背景技術】
【０００２】
最近、カメラ付き携帯電話機が普及しつつあり、フィルムカメラよりも手軽に撮影を行うことができるようになってきた。このカメラ付き携帯電話機に関して、特許文献がいくつか提案されている。
【０００３】
例えば、電話機能、テレビ電話機能、デジタルカメラ機能、デジタルビデオカメラ機能、およびペン入力端末等の多くの機能を備え、かつ、携帯性を損なわずに小型化された携帯端末に関する技術が提案されている（例えば、特許文献１参照）。
【０００４】
また例えば、リモコン装置を用いてカメラ機能付き携帯電話機を遠隔操作する技術が提案されている（例えば、特許文献２参照）。
【０００５】
また例えば、ビデオカメラを有する携帯無線機用の載置台に関する技術が提案されている（例えば、特許文献３参照）。
【０００６】
さらにまた例えば、他の携帯電話機などにより、カメラ付き携帯電話機を遠隔操作する技術が提案されている（例えば、特許文献４参照）。
【０００７】
【特許文献１】特開２００１−１６９１６６号公報
【特許文献２】特開２００２−５０９９９号公報
【特許文献３】特開２００２−３２００１８号公報
【特許文献４】特開２００３−１８２５４号公報
【発明の開示】
【発明が解決しようとする課題】
【０００８】
ところで、カメラ付き携帯電話機を操作しているユーザは、主に、自分以外の人物あるいは風景などを撮影することになるが、カメラを自分に向けて撮影する、いわゆる自分撮りを行うこともできる。
【０００９】
しかしながら、上述した特許文献１の技術では、ユーザがカメラ付き携帯電話機を把持する必要があるため、遠距離から自分撮りを行うことが困難である課題があった。
【００１０】
これに対し、特許文献２や特許文献４の技術では、カメラ付き携帯電話機を遠隔操作することができるため、遠距離から自分撮りを行うことができ、より多くの背景を入れて撮影することも可能であるが、カメラを自由な角度に設定することができない課題があった。
【００１１】
この点、特許文献３の技術では、カメラを自由な角度に設定することが可能であるが、自分撮りを行うことができない課題があった。
【００１２】
本発明はこのような状況に鑑みてなされたものであり、カメラ付き携帯電話機を自由な角度で保持し、かつ、遠隔地から操作できるようにするものである。
【課題を解決するための手段】
【００１３】
本発明の第１の携帯電話機用載置台は、携帯電話機と接続される接続端子と、携帯電話機と通信処理する通信部と、リモートコントローラから送信されてきた信号を受信する受信部とを備え、接続端子は、携帯電話機を回動自在に保持し、通信部は、受信部で受信された信号に基づく指令を携帯電話機に送信することを特徴とする。
【００１４】
情報記録媒体を装着する装着部をさらに設け、通信部は、携帯電話機から送信されてきたデータを、装着部に装着されている情報記録媒体に記録するようにすることができる。
【００１５】
メモ、写真、あるいは、絵を保持する保持部をさらに設けるようにすることができる。
【００１６】
前記接続端子は、携帯電話機と接続されていない場合において、リモートコントローラに接続可能とされるようにすることができる。
【００１７】
本発明の第２の携帯電話機用載置台は、携帯電話機と接続される接続端子と、携帯電話機と通信処理する通信部と、情報記録媒体を装着する装着部とを備え、接続端子は、携帯電話機を回動自在に保持し、通信部は、携帯電話機から送信されてきたデータを、装着部に装着されている情報記録媒体に記録することを特徴とする。
【００１８】
リモートコントローラから送信されてきた信号を受信する受信部をさらに設け、通信部は、受信部で受信された信号に基づく指令を携帯電話機に送信するようにすることができる。
【００１９】
前記接続端子は、携帯電話機と接続されていない場合において、リモートコントローラに接続可能とされるようにすることができる。
【００２０】
メモ、写真、あるいは、絵を保持する保持部をさらに設けるようにすることができる。
【００２１】
第１の本発明においては、携帯電話機が回動自在に保持され、リモートコントローラから送信されてきた信号に基づく指令が携帯電話機に送信される。
【００２２】
第２の本発明においては、携帯電話機が回動自在に保持され、携帯電話機から送信されてきたデータが、装着部に装着されている情報記録媒体に記録される。
【発明の効果】
【００２３】
第１の本発明によれば、携帯電話機を保持することができる。特に、カメラ付き携帯電話機を自由な角度で保持することができ、かつ、カメラ付き携帯電話機を遠隔地から操作することが可能となる。
【００２４】
第２の本発明によれば、携帯電話機を保持することができる。特に、カメラ付き携帯電話機を自由な角度で保持することができ、かつ、カメラ付き携帯電話機のデータを記録することが可能となる。
【発明を実施するための最良の形態】
【００２５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２７】
請求項１に記載の携帯電話機用載置台（例えば、図１の三脚アダプタ２）は、携帯電話機（例えば、図１のカメラ付き携帯電話機１）と接続される接続端子（例えば、図３の接続端子３２）と、携帯電話機と通信処理する通信部（例えば、図１１のCPU８１）と、リモートコントローラ（例えば、図１のリモートコントローラ４）から送信されてきた信号を受信する受信部（例えば、図３の受光部３３）とを備え、接続端子は、携帯電話機を回動自在に保持し、通信部は、受信部で受信された信号に基づく指令を携帯電話機に送信することを特徴とする。
【００２８】
請求項２に記載の携帯電話機用載置台は、情報記録媒体（例えば、図１１のリムーバブルメディア１０５）を装着する装着部（例えば、図３のメディアスロット３４）をさらに備え、通信部は、携帯電話機から送信されてきたデータを、装着部に装着されている情報記録媒体に記録することを特徴とする。
【００２９】
請求項３に記載の携帯電話機用載置台は、メモ、写真、あるいは、絵を保持する保持部（例えば、図３のメモホルダ３６）をさらに備えることを特徴とする。
【００３０】
請求項４に記載の携帯電話機用載置台の接続端子は、携帯電話機と接続されていない場合において、リモートコントローラ（例えば、図７の接続端子６３）に接続可能とされることを特徴とする。
【００３１】
請求項５に記載の携帯電話機用載置台（例えば、図１の三脚アダプタ２）は、携帯電話機（例えば、図１のカメラ付き携帯電話機１）と接続される接続端子（例えば、図３の接続端子３２）と、携帯電話機と通信処理する通信部（例えば、図１１のCPU８１）と、情報記録媒体（例えば、図１１のリムーバブルメディア１０５）を装着する装着部（例えば、図３のメディアスロット３４）とを備え、接続端子は、携帯電話機を回動自在に保持し、通信部は、携帯電話機から送信されてきたデータを、装着部に装着されている情報記録媒体に記録することを特徴とする。
【００３２】
請求項６に記載の携帯電話機用載置台は、リモートコントローラ（例えば、図１のリモートコントローラ４）から送信されてきた信号を受信する受信部（例えば、図３の受光部３３）をさらに備え、通信部は、受信部で受信された信号に基づく指令を携帯電話機に送信することを特徴とする。
【００３３】
請求項７に記載の携帯電話機用載置台の接続端子は、携帯電話機と接続されていない場合において、リモートコントローラ（例えば、図７の接続端子６３）に接続可能とされることを特徴とする。
【００３４】
請求項８に記載の携帯電話機用載置台は、メモ、写真、あるいは、絵を保持する保持部（例えば、図３のメモホルダ３６）をさらに備えることを特徴とする。
【００３５】
以下に、本発明の実施の形態について図面を参照して説明する。
【００３６】
図１は、本発明を適用した携帯電話機撮影システムの構成例を表わしている。この構成例においては、三脚アダプタ２と接続されるカメラ付き携帯電話機１、三脚３の上面に固定される三脚アダプタ２、三脚３、および、三脚アダプタ２を介してカメラ付き携帯電話機１を遠隔操作するためのリモートコントローラ４が備えられている。カメラ付き携帯電話機１と三脚アダプタ２は、接続端子２０（図２）と接続端子３２（図３）を介して、相互に通信処理を行う。三脚アダプタ２とリモートコントローラ４は、相互に赤外線通信あるいは無線通信を行う（以下、赤外線通信を例にする）。
【００３７】
カメラ付き携帯電話機１は、三脚アダプタ２に接続された場合、カメラモードに遷移し、リモートコントローラ４からの指示に応じて、CCD（Charge Coupled Device）カメラ１５（図２）により被写体を撮影する。またカメラ付き携帯電話機１は、三脚アダプタ２に接続された場合、電源を三脚アダプタ２に供給する。これにより、三脚アダプタ２には、電源供給部を設ける必要がなくなり、装置の小型化を実現することができる。勿論、三脚アダプタ２に、ボタン電池などを設けるようにすることも可能である。
【００３８】
さらにカメラ付き携帯電話機１は、CCDカメラ１５により撮影した画像データを記録するためのメモリに空き容量がない場合、三脚アダプタ２に装着されているリムーバブルメディア１０５（図１１）に画像データを転送し、そこに記録させることもできる。
【００３９】
三脚アダプタ２は、カメラ付き携帯電話機１から供給される電源により駆動される。その詳細は後述するが、三脚アダプタ２は、リモートコントローラ４から受信した信号（スチル画撮影実行信号、動画撮影開始信号、または動画撮影終了信号など）をカメラ付き携帯電話機１に供給する。また三脚アダプタ２は、カメラ付き携帯電話機１から供給された画像データを、装着されているリムーバブルメディア１０５に記録させる。
【００４０】
リモートコントローラ４は、ユーザにより操作され、例えば、スチル画撮影実行、動画像撮影開始、または動画撮影終了などの各種指令を入力することができるようになされている。リモートコントローラ４は、入力された各種指令に基づく赤外線信号を、発光部７１（図８）から三脚アダプタ２の受光部３３（図３）に向けて照射する。
【００４１】
図２は、図１に示したカメラ付き携帯電話機１の外観の構成例を示している。
【００４２】
図２に示されるように、カメラ付き携帯電話機１は、基本的に、表示部１２および本体１３から構成され、中央のヒンジ部１１により折り畳み可能に形成されている。
【００４３】
表示部１２の上端左部には、アンテナ１４が設けられており、このアンテナ１４を介して、基地局（図示せず）との間で電波が送受信される。表示部１２の上端中央部には、CCDカメラ１５が設けられており、所望の被写体が撮影される。表示部１２のCCDカメラ１５の下方近傍には、スピーカ１６が設けられており、音声が出力される。
【００４４】
表示部１２のほぼ中央には、LCD（Liquid Crystal Display）１７が設けられている。LCD１７には、電波の受信状態、電池の残量、電話帳として登録されている氏名や電話番号、および発信履歴の他、入力ボタン１８が操作されることにより作成された文章などが表示される。
【００４５】
一方、本体１３には、「０」乃至「９」の数字ボタン（テンキー）、「＊」ボタン、および「♯」ボタンなどからなる入力ボタン１８が設けられている。ユーザは、この入力ボタン１８を操作することで、例えば、電子メールとして送信する文章やメモ帳などを作成することができる。本体１３の下方近傍には、マイクロフォン１９が設けられており、ユーザの音声が集音される。本体１３の下端部中央には、他の装置（本実施の形態では、三脚アダプタ２）と接続するための凹状の接続端子２０が設けられている。
【００４６】
本体１３の（図２を正面とした場合の）背面には、ストラップ取付部２１が設けられている。ユーザは、カメラ付き携帯電話機１を携帯する際、必要に応じて、ストラップ取付部２１にストラップ（つりひも）２２を取り付けることができる。
【００４７】
次に、図３乃至図６を参照して、図１に示した三脚アダプタ２の構成例について説明する。図３は、三脚アダプタ２の外観斜視図を示しており、図４は、図３の三脚アダプタ２を矢印Ａ方向に見た場合の外観斜視図を示しており、図５は、図３の三脚アダプタ２を矢印Ｂ方向に見た場合の外観側面図を示している。図６は、カメラ付き携帯電話機１、三脚アダプタ２、および三脚３の接続を説明するための分解斜視図を示している。
【００４８】
三脚アダプタ２は、本体３０、および、本体３０に回動自在に連結された回動部３１により構成されている。回動部３１には、他の装置（本実施の形態では、カメラ付け携帯電話機１またはリモートコントローラ４）と接続するための凸状の接続端子３２が形成されている。接続端子３２は、カメラ付き携帯電話機１の接続端子２０と接続される（図６参照）。回動部３１は、ユーザにより任意の角度に回動され、その状態で、カメラ付き携帯電話機１を保持することができる。
【００４９】
例えば、ユーザは、図５Ａに示される状態から、接続端子３２が形成された回動部３１を矢印Ｌ方向へ回動させ、図５Ｂに示されるような角度で、カメラ付き携帯電話機１を保持させることができる。またユーザは、図５Ｂに示される状態から、矢印Ｌ方向へ回動させ、図５Ｃに示されるような角度で、カメラ付き携帯電話機１を保持させることができる。さらにユーザは、図５Ｂに示される状態から、矢印Ｒ方向へ回動させ、図５Ａに示されるような角度で、カメラ付き携帯電話機１を保持させることができる。このように、ユーザは、接続端子３２が形成された回動部３１を矢印Ｌ方向または矢印Ｒ方向へ回動させ、任意の角度で、カメラ付き携帯電話機１を保持させることができる。なお、図５Ａ乃至図５Ｃに示した回動部３１の角度は、あくまで一例であり、ユーザがその角度を自由に調整することができる。
【００５０】
図３を上面とした場合において、本体３０の側面には、リモートコントローラ４から発光された赤外線信号を受光するための受光部３３が設けられており、受光した赤外線信号に対応する各種指令が、接続端子３２を介してカメラ付き携帯電話機１に供給される。
【００５１】
受光部３３の近傍には、抜差自在なリムーバブルメディア１０５（図１１）を装着するためのメディアスロット３４が設けられており、カメラ付き携帯電話機１から供給された画像データが、装着されているリムーバブルメディア１０５に記録される。
【００５２】
また本体３０の側面には、着脱ボタン３５が設けられており、接続端子３２に接続されているカメラ付き携帯電話機１を着脱する場合に操作される。例えば、ユーザは、着脱ボタン３５を押下しながら、カメラ付き携帯電話機１を着脱させるようにすることで、カメラ付き携帯電話機１を三脚アダプタ２から簡単に着脱させることができる。すなわち、カメラ付き携帯電話機１が三脚アダプタ２に接続されるとロックがかかるようになされており、これにより、カメラ付き携帯電話機１が確実に保持される。そして、そのロックを解除するために、三脚アダプタ２には着脱ボタン３５が設けられている。
【００５３】
また本体３０の上面には、メモホルダ３６が設けられており、ユーザは、好みのメモ、写真、あるいは絵などを挟むことができる。本体３０の側面端部には、ストラップ取付部３７が設けられている。ユーザは、三脚アダプタ２を携帯する際、カメラ付き携帯電話機１のストラップ取付部２１に取り付けられたストラップ２２（図２）を、ストラップ取付部３７に取り付けることができる。これにより、カメラ付き携帯電話機１と三脚アダプタ２を１つのストラップで携帯することができる。
【００５４】
本体３０の背面（図４）には、三脚アダプタ２を三脚３に取り付けるためのネジ穴４１が形成されており、そこに三脚３の突起部５１が係合される（図６参照）。これにより、三脚アダプタ２は、三脚３に固定される。
【００５５】
次に、図７乃至図１０を参照して、図１に示したリモートコントローラ４の構成例について説明する。図７は、リモートコントローラ４の外観斜視図を示しており、図８は、図７のリモートコントローラ４を矢印Ａ方向に見た場合の外観側面図を示している。図９は、三脚アダプタ２およびリモートコントローラ４の接続を説明するための分解斜視図を示しており、図１０は、三脚アダプタ２およびリモートコントローラ４が接続された場合の外観斜視図を示している。
【００５６】
リモートコントローラ４は、本体６０により構成されており、本体６０の上面（図７）には、スチル画撮影実行ボタン６１、および動画撮影実行ボタン６２が設けられている。ユーザは、スチル画像の撮影を実行したい場合、スチル画撮影実行ボタン６１を押下し、動画像の撮影を開始したい場合、動画撮影実行ボタン６２を押下し、実行中の動画像の撮影を終了したい場合、再び動画撮影実行ボタン６２を押下する。
【００５７】
本体６０の側面には、三脚アダプタ２と接続するための凹状の接続端子６３が形成されている。接続端子６３は、三脚アダプタ２の接続端子３２と接続される（図９参照）。これにより、図１０に示されるように、三脚アダプタ２とリモートコントローラ４を連結して一体にし、それを携帯することができる。
【００５８】
また本体６０の側面（図８）には、三脚アダプタ２に赤外線信号を照射するための発光部７１が設けられており、スチル画撮影実行ボタン６１または動画撮影実行ボタン６２が操作されると、その操作に対応する赤外線信号が三脚アダプタ２の受光部３３に向けて照射される。
【００５９】
図１１は、図１に示した携帯電話機撮影システムの機能的構成例を示すブロック図である。
【００６０】
カメラ付き携帯電話機１のCPU（Central Processing Unit）８１は、EEPROM（Electrically Erasable and Programmable Read Only Memory）８２に記憶されている制御プログラムをRAM８３に展開し、バス８６を介してカメラ付き携帯電話機１の全体の動作を制御する。またCPU８１は、三脚アダプタ２から接続端子２０およびバス８６を介して供給された各種指令に基づいて、所定の処理を実行する。例えば、CPU８１は、三脚アダプタ２からスチル画撮影の実行が指令された場合、カメラモードを設定し、スチル画撮影を実行するとともに、表示制御部８５を制御し、撮影された画像をLCD１７に表示させる。
【００６１】
EEPROM８２は、カメラ付き携帯電話機１の電源がオフされても、例えば、直前の設定条件などを記憶しておき、次の電源のオン時に、同じ設定を再現することができるようにするための設定パラメータ、あるいは、撮影された画像データなどを記憶する不揮発性メモリである。RAM８３は、CPU８１が各種の処理を実行する上で必要なデータや、各部との間でやり取りするデータなどを一時的に記憶する。
【００６２】
通信制御部８４は、アンテナ１４を介して基地局（図示せず）との間で電波を送受信し、例えば、音声通話モード時において、アンテナ１４で受信されたRF(Radio Frequency)信号を増幅して周波数変換処理、アナログディジタル変換処理、およびスペクトラム逆拡散処理等の所定の処理を施し、得られた音声データを、バス８６を介して音声コーデック８８に出力する。また、通信制御部８４は、音声コーデック８８から音声データが供給されてきたとき、ディジタルアナログ変換処理、周波数変換処理、およびスペクトラム拡散処理等の所定の処理を施し、得られた音声信号をアンテナ１４から送信する。
【００６３】
表示制御部８５は、LCD１７の表示を制御し、電子メールとして送信する文章を作成する作成画面やCCDカメラ１５で撮影された画像等をLCD１７に表示させる。入力部８７は、入力ボタン１８やその他のボタン等により構成され、それらに対するユーザの操作を検出し、対応する信号を、バス８６を介してCPU８１に出力する。音声コーデック８８は、通信制御部８４から供給されてきた音声データを音声信号に変換し、対応する音声信号をスピーカ１６から出力する。また、音声コーデック８８は、マイクロフォン１９により集音されたユーザの音声を音声データに変換し、それを、バス８６を介して通信制御部８４に出力する。
【００６４】
外部接続検出部８９は、接続端子２０に他の装置が接続されたことを検出したとき、それをCPU８１に通知する。カメラインターフェース（I/F）部９０は、CCDカメラ１５で撮影された画像データを、バス８６および表示制御部８５を介して、LCD１７に表示させる。電源供給部９１は、カメラ付き携帯電話機１の各部に対して電源を供給する。また電源供給部９１は、接続端子２０を介して他の装置（本実施の形態の場合、三脚アダプタ２）に対しても電源を供給する。
【００６５】
三脚アダプタ２のCPU１０１は、ROM１０２に記憶されている制御プログラムをRAM１０３に展開し、バス１０４を介して三脚アダプタ２の全体の動作を制御する。CPU１０１は、受光部３３から供給された赤外線信号に対応する各種指令をバス１０４および接続端子３２を介してカメラ付き携帯電話機１に供給する。受光部３３は、リモートコントローラ４の発光部７１から照射された赤外線信号を受光し、それを、バス１０４を介してCPU１０１に供給する。メディアスロット３４には、必要に応じて、磁気ディスク、光ディスク、光磁気ディスク、あるいは、半導体メモリなどのリムーバブルメディア１０５が適宜装着され、カメラ付き携帯電話機１から供給された画像データなどがそこに記録される。三脚アダプタ２の各部は、接続端子３２を介してカメラ付き携帯電話機１の電源供給部９１から供給された電源により駆動される。
【００６６】
リモートコントローラ４の入力部１１０は、スチル画撮影実行ボタン６１または動画撮影実行ボタン６２により構成され、それらに対するユーザの操作を検出する。発光部７１は、入力部１１０で検出された操作に対応する赤外線信号を三脚アダプタ２の受光部２に向けて照射する。
【００６７】
次に、図１２と図１３のフローチャートを参照して、カメラ付き携帯電話機１における処理について説明する。
【００６８】
ステップＳ１において、外部接続検出部８９は、接続端子２０が三脚アダプタ２に接続されているか否かを判定し、接続端子２０が三脚アダプタ２に接続されていないと判定した場合、ステップＳ２に進む。この場合、外部接続検出部８９は、三脚アダプタ２の接続を検知していないため、CPU８１に対して何も通知しない。ステップＳ２において、CPU８１は、外部接続検出部８９から何の通知も受けていないため、カメラ付き携帯電話機１における通常処理（例えば、発呼処理、アドレス検索処理、あるいは、アドレス登録処理など）を行う。その後、処理はステップＳ１に戻り、上述した処理が繰り返し実行される。
【００６９】
ステップＳ１において、接続端子２０が三脚アダプタ２に接続されていると判定された場合、外部接続検出部８９は、接続端子２０に三脚アダプタ２が接続されている旨をCPU８１に通知して、ステップＳ３に進む。ステップＳ３において、CPU８１は、外部接続検出部８９からの接続検知の通知に基づいて、電源供給部９１を制御し、三脚アダプタ２に電源を供給させ、三脚アダプタ２のCPU１０１を起動させる。
【００７０】
ステップＳ４において、CPU８１は、ユーザにより入力部８７が操作され、カメラ付き携帯電話機１がカメラモードに設定されているか否かを判定し、カメラモードに設定されていないと判定した場合、ステップＳ５に進み、カメラモードに設定する。すなわち、カメラ付き携帯電話機１が三脚アダプタ２に接続された際に、カメラモードが設定されていなかった場合、自動的にカメラモードが設定される。
【００７１】
ステップＳ５の処理の後、または、ステップＳ４において、カメラ付き携帯電話機１がカメラモードに設定されていると判定された場合、ステップＳ６に進み、CPU８１は、三脚アダプタ２から接続端子２０およびバス８６を介して、（後述する図１４のステップＳ３２の処理により送信されてきた）スチル画撮影実行信号を受信したか否かを判定する。
【００７２】
ステップＳ６において、三脚アダプタ２からスチル画撮影実行信号を受信したと判定された場合、ステップＳ７に進み、CPU８１は、カメラインターフェース部９０を制御し、CCDカメラ１５によりスチル画像の撮影処理を実行させるとともに、表示制御部８５を制御し、LCD１７を一時的にオフさせる。これにより、ユーザに対して、撮影が実行されたこと（リレーズされたこと）を知らせることができる。なお、撮影が実行されたことを通知する方法としては、LCD１７をオフさせるだけでなく、例えば、アンテナ１４や入力ボタン１８を発光させるようにしたり、あるいは、スピーカ１６から効果音などを出力させるようにしてもよい。
【００７３】
ステップＳ８において、CPU８１は、CCDカメラ１５で撮影されたスチル画像をEEPROM８２に記録させる。ステップＳ９において、CPU８１は、表示制御部８５を制御し、一時的にオフされていたLCD１７をオンさせる。
【００７４】
ステップＳ６において、スチル画撮影実行信号を受信していないと判定された場合、ステップＳ１０に進み、CPU８１は、さらに三脚アダプタ２から（後述する図１４のステップＳ３２の処理により送信されてきた）動画撮影開始信号を受信したか否かを判定する。
【００７５】
ステップＳ１０において、動画撮影開始信号を受信していないと判定された場合、ステップＳ６に戻り、上述した処理が繰り返し実行される。ステップＳ１０において、動画撮影開始信号を受信したと判定された場合、ステップＳ１１に進み、CPU８１は、カメラインターフェース部９０を制御し、CCDカメラ１５により動画像の撮影処理を開始させる。
【００７６】
ステップＳ１２において、CPU８１は、EEPROM８２のメモリ残量が閾値以上であるか否かを判定し、EEPROM８２のメモリ残量が閾値以上であると判定した場合、ステップＳ１３に進み、CCDカメラ１５で撮影された動画像をEEPROM８２に記録させる。
【００７７】
ステップＳ１２において、EEPROM８２のメモリ残量が閾値以上ではない、すなわち、メモリ残量が残りわずかであると判定された場合、ステップＳ１４に進み、CPU８１は、バス８６、接続端子２０、三脚アダプタ２の接続端子３２、およびバス１０４を介してCPU１０１に対し、メディアスロット３４にリムーバブルメディア１０５が装着されているか否かを問い合わせ、CPU１０１の通知から三脚アダプタ２にリムーバブルメディア１０５が装着されていると判定した場合、ステップＳ１５に進む。
【００７８】
ステップＳ１５において、CPU８１は、さらに、三脚アダプタ２のCPU１０１に対し、メディアスロット３４に装着されているリムーバブルメディア１０５に空き容量があるか否かを問い合わせ、CPU１０１の通知からリムーバブルメディア１０５に空き容量があると判定した場合、ステップＳ１６に進む。
【００７９】
ステップＳ１６において、CPU８１は、CCDカメラ１５で撮影された動画像を、バス８６、接続端子２０、三脚アダプタ２の接続端子３２、およびバス１０４を介して、メディアスロット３４に装着されているリムーバブルメディア１０５に供給し、そこに記録させる。
【００８０】
ステップＳ１３またはステップＳ１６の処理の後、ステップＳ１７において、CPU８１は、三脚アダプタ２から（後述する図１３４のステップＳ３２の処理により送信されてきた）動画撮影終了信号を受信したか否かを判定し、動画撮影終了信号を受信していないと判定した場合、ステップＳ１２に戻り、上述した処理を繰り返し実行する。そして、ステップＳ１７において、動画撮影終了信号を受信したと判定された場合、ステップＳ１８に進み、CPU８１は、カメラインターフェース部９０を制御し、CCDカメラ１５による動画像の撮影処理を終了させる。
【００８１】
ステップＳ１４において、三脚アダプタ２にリムーバブルメディア１０５が装着されていないと判定された場合、または、ステップＳ１５において、メディアスロット３４に装着されているリムーバブルメディア１０５に空き容量がないと判定された場合、ステップＳ１９に進み、CPU８１は、表示制御部８５を制御し、LCD１７に、例えば、「動画像を記録する空き容量がありません」といったエラーメッセージを表示させたり、あるいは、音声コーデック８８を制御し、スピーカ１６から、そのエラーメッセージに対応する音声を出力させる。これにより、ユーザは、動画像を記録することができないことを知り、三脚アダプタ２のメディアスロット３４に、充分に空き容量のあるリムーバブルメディア１０５を装着させることができる。従って、ステップＳ１９において、エラーメッセージが表示された後、メディアスロット３４に充分に空き容量のあるリムーバブルメディア１０５が装着された場合、処理はステップＳ１６に進むようにしてもよい。
【００８２】
以上のように、カメラ付き携帯電話機１は、入力ボタン１８などを用いて撮影処理が直接指示されなくても、三脚アダプタ２から（実際にはリモートコントローラ４から三脚アダプタ２を介して）供給されるスチル画撮影実行信号または動画撮影信号に基づいて、撮影処理を実行することができる。すなわち、ユーザは、カメラ付き携帯電話機１をリモートコントローラ４を用いて遠隔操作することにより、撮影処理を実行させることができる。
【００８３】
次に、図１４のフローチャートを参照して、図１２と図１３のカメラ付き携帯電話機１の処理に対応して実行される三脚アダプタ２における処理について説明する。なお、この処理は、カメラ付き携帯電話機１により、図１２のステップＳ３の処理が実行されたとき、開始される。すなわち、三脚アダプタ２には、接続端子３２を介してカメラ付き携帯電話機１が接続されており、カメラ付き携帯電話機１の電源供給部９１から供給される電源により各部が駆動されている。
【００８４】
ステップＳ３１において、受光部３３は、リモートコントローラ４の発光部７１から照射された赤外線信号を受信したか否かを判定し、赤外線信号を受信したと判定した場合、その赤外線信号に対する各種指令を、バス１０４を介してCPU１０１に供給する。例えば、リモートコントローラ４において、スチル画撮影実行ボタン６１が押下された場合、スチル画撮影実行信号がCPU１０１に供給され、動画撮影実行ボタン６２が押下された場合、動画撮影開始信号がCPU１０１に供給され、さらに動画撮影処理の実行中に動画撮影実行ボタン６２が押下された場合、動画撮影終了信号がCPU１０１に供給される。
【００８５】
ステップＳ３２において、CPU１０１は、バス１０４および接続端子３２を介して、カメラ付き携帯電話機１に、受信信号（例えば、スチル画撮影実行信号、動画撮影開始信号、または動画撮影終了信号など）を送信する。
【００８６】
ステップＳ３１において、リモートコントローラ４から赤外線信号を受信していないと判定された場合、ステップＳ３３に進み、CPU１０１は、カメラ付き携帯電話機１から、接続端子３２およびバス１０４を介して画像データが供給されたか否かを判定し、カメラ付き携帯電話機１から画像データが供給されていないと判定した場合、ステップＳ３１に戻り、上述した処理を繰り返し実行する。
【００８７】
ステップＳ３３において、カメラ付き携帯電話機１から画像データが供給されたと判定された場合、ステップＳ３４に進み、CPU１０１は、メディアスロット３４に装着されているリムーバブルメディア１０５に画像データを供給し、そこに記録させる。
【００８８】
ステップＳ３２またはステップＳ３４の処理の後、ステップＳ３５において、CPU１０１は、接続端子３２とカメラ付き携帯電話機１との接続が解除されたか否かを判定し、接続端子３２とカメラ付き携帯電話機１との接続が解除されていない（すなわち、接続中である）と判定した場合、ステップＳ３１に戻り、上述した処理を繰り返し実行する。
【００８９】
ステップＳ３５において、接続端子３２とカメラ付き携帯電話機１との接続が解除されたと判定された場合、処理は終了される。
【００９０】
以上のように、三脚アダプタ２は、カメラ付き携帯電話機１を三脚３に固定させるだけではなく、通信機能を有しているため、リモートコントローラ４から受信したスチル画撮影実行信号などをカメラ付き携帯電話機１に供給したり、あるいは、カメラ付き携帯電話機１から供給される画像データを記録することができる。すなわち、三脚アダプタ２は、メディアスロット３４にリムーバブルメディア１０５を装着することによって、カメラ付き携帯電話機１のメモリ残量がなくなった場合の外部メモリとしての用途に適用することができる。
【００９１】
ところで、ユーザは、三脚アダプタ２に接続されたカメラ付き携帯電話機１を、リモートコントローラ４を用いて遠隔操作することになるため、カメラ付き携帯電話機１が盗難される恐れがある。そこで、例えば、カメラ付き携帯電話機１が三脚アダプタ２に接続されると強制的にキーロックがかかり、ユーザによりキーロック解除のためのパスワードが入力されるまで、キーロック解除を行わないようにすることができる。
【００９２】
次に、図１５のフローチャートを参照して、カメラ付き携帯電話機１におけるキーロック処理について説明する。なお、この処理は、ユーザによりLCD１７にキーロック設定画面（図示せず）が表示され、そこにパスワードが入力されたとき、開始される。
【００９３】
ステップＳ４１において、CPU８１は、ユーザにより入力されたキーロック解除時のパスワードを設定し、ステップＳ４２において、自動キーロックを設定する。これにより、三脚アダプタ２にカメラ付き携帯電話機１が接続されると、自動的にキーロックがかかる。またこのとき、自動キーロックが設定されたことをユーザに知らせるために、CPU８１は、表示制御部８５を制御し、LCD１７に、例えば、「自動キーロックが設定されました」といったメッセージや自動キーロックを表わすアイコンなどを表示させる。
【００９４】
ステップＳ４３において、外部検出部８９は、接続端子２０が三脚アダプタ２に接続されたか否かを判定し、接続端子２０が三脚アダプタ２に接続されていないと判定した場合、ステップＳ４４に進む。この場合、外部接続検出部８９は、三脚アダプタ２の接続を検知していないため、CPU８１に対して何も通知しない。ステップＳ４４において、CPU８１は、ユーザにより自動キーロックが解除されたか否かを判定し、自動キーロックが解除されていないと判定した場合、ステップＳ４３に戻り、上述した処理を繰り返し実行する。
【００９５】
ステップＳ４４において、ユーザにより自動キーロックが解除されたと判定された場合、それ以降の処理は行われず、キーロック処理はそのまま終了される。
【００９６】
ステップＳ４３において、接続端子２０が三脚アダプタ２に接続されたと判定された場合、外部接続検出部８９は、接続端子２０に三脚アダプタ２が接続された旨をCPU８１に通知して、ステップＳ４５に進む。ステップＳ４５において、CPU８１は、外部接続検出部８９からの接続検知の通知に基づいて、キーロックを強制的に設定する。
【００９７】
ステップＳ４６において、外部接続検出部８９は、接続端子２０と三脚アダプタ２との接続が解除されたか否かを判定し、接続端子２０と三脚アダプタ２との接続が解除されるまで待機する。そして、ステップＳ４６において、接続端子２０と三脚アダプタ２との接続が解除されたと判定された場合、外部接続検出部８９は、接続端子２０と三脚アダプタ２との接続が解除された旨をCPU８１に通知して、ステップＳ４７に進む。ステップＳ４７において、CPU８１は、外部接続検出部８９からの接続解除の通知に基づいて、表示制御部８５を制御し、LCD１７に、例えば、「キーロック解除のためのパスワードを入力してください」といったメッセージを表示させる。
【００９８】
ステップＳ４８において、CPU８１は、入力部８７およびバス８６を介して入力されたパスワードが正しいか否か、すなわち、ステップＳ４１の処理で設定されたパスワードと同じであるか否かを判定し、正しいパスワードが入力されたと判定した場合、ステップＳ４９に進む。ステップＳ４９において、CPU８１は、ステップＳ４５の処理で強制的に設定したキーロックを解除する。
【００９９】
ステップＳ４８において、正しいパスワードが入力されていないと判定された場合（間違ったパスワードが入力されたと判定された場合）、ステップＳ５０に進み、CPU８１は、入力ミスが所定の回数以上になったか否かを判定し、入力ミスが未だ所定の回数以上になっていないと判定した場合、ステップＳ４８に戻り、上述した処理を繰り返し実行する。
【０１００】
ステップＳ５０において、入力ミスが所定の回数以上になったと判定された場合、ステップＳ５１に進み、CPU８１は、表示制御部８５を制御し、LCD１７に、例えば、「パスワードが間違っています」といったメッセージを表示させる。またこのとき、CPU８１は、パスワードの入力ミスが続いたことにより、カメラ付き携帯電話機１が盗難されたと判断し、管理会社などに通報するようにしてもよい。
【０１０１】
このように、ユーザが必要に応じてキーロックを設定することにより、たとえカメラ付き携帯電話機１が盗難されたとしても、カメラ付き携帯電話機１が故意に使用されることを防止することができる。
【０１０２】
以上においては、折り畳み型のカメラ付き携帯電話機１を三脚アダプタ２に接続させるようにしたが、これに限らず、例えば、図１６に示されるようなストレート型のカメラ付き携帯電話機１、あるいは、図１７に示されるようなＬ字型に変更可能なカメラ付き携帯電話機１を用いるようにすることもできる。また、これらのカメラ付き携帯電話機１を三脚アダプタ２に接続させることで、回動部３１の回動動作により、CCDカメラ１５を任意の角度で保持することができる。
【０１０３】
また以上においては、三脚アダプタ２とカメラ付き携帯電話機１を接続し、それを三脚３に固定するようにしたが、三脚アダプタ２は、三脚３に必ずしも固定する必要はなく、三脚アダプタ２とカメラ付き携帯電話機１を接続し、それを、例えば、机の上などに載置するようにしてもよい。
【図面の簡単な説明】
【０１０４】
【図１】本発明を適用した携帯電話機撮影システムの構成例を示す図である。
【図２】カメラ付き携帯電話機の外観の構成例を示している。
【図３】三脚アダプタの外観斜視図を示している。
【図４】図３の三脚アダプタを矢印Ａ方向に見た場合の外観斜視図を示している。
【図５】図３の三脚アダプタを矢印Ｂ方向に見た場合の外観斜視図を示している。
【図６】カメラ付き携帯電話機、三脚アダプタ、および三脚の接続を説明するための分解斜視図を示している。
【図７】リモートコントローラの外観斜視図を示している。
【図８】図７のリモートコントローラを矢印Ａ方向に見た場合の外観側面図を示している。
【図９】三脚アダプタおよびリモートコントローラの接続を説明するための分解斜視図を示している。
【図１０】三脚アダプタおよびリモートコントローラが接続された場合の外観斜視図を示している。
【図１１】携帯電話機撮影システムの機能的構成例を示すブロック図である。
【図１２】カメラ付き携帯電話機における処理を説明するフローチャートである。
【図１３】カメラ付き携帯電話機における処理を説明する図１２に続くフローチャートである。
【図１４】三脚アダプタ２における処理を説明するフローチャートである。
【図１５】カメラ付き携帯電話機におけるキーロック処理を説明するフローチャートである。
【図１６】本発明をストレート型のカメラ付き携帯電話機に適用した場合の構成例を示している。
【図１７】本発明をＬ字型に変更可能なカメラ付き携帯電話機に適用した場合の構成例を示している。
【符号の説明】
【０１０５】
１  カメラ付き携帯電話機，  ２  三脚アダプタ，  ３  三脚，  ４  リモートコントローラ，  １５  CCDカメラ，  １７  LCD，  ２０  接続端子，  ３１  回動部，  ３２  接続端子，  ３３  受光部，  ３４  メディアスロット，  ４１  ネジ穴，  ５１  突起部
【図１】
2006074585.tif 000003
【図２】
2006074585.tif 000004
【図３】
2006074585.tif 000005
【図４】
2006074585.tif 000006
【図５】
2006074585.tif 000007
【図６】
2006074585.tif 000008
【図７】
2006074585.tif 000009
【図８】
2006074585.tif 000010
【図９】
2006074585.tif 000011
【図１０】
2006074585.tif 000012
【図１１】
2006074585.tif 000013
【図１２】
2006074585.tif 000014
【図１３】
2006074585.tif 000015
【図１４】
2006074585.tif 000016
【図１５】
2006074585.tif 000017
【図１６】
2006074585.tif 000018
【図１７】
2006074585.tif 000019